(57)【要約】【課題】封筒の内容物となる用紙に印刷される特定情報が封入後に封筒の所定位置にくるようすること。【解決手段】封筒に内容物となる用紙Ｐを封入したときに窓付封筒の窓部の位置と、用紙Ｐに印刷された特定情報の位置が一致するように、封書作製ジョブの内容物情報に含まれる折り情報と印刷面情報を、記憶部６に記憶される内容物印刷条件と照合して適切な条件（印刷後の搬送経路、画像回転の有無、印刷ページの順序）を選択し、選択した内容物印刷条件に基づいて搬送部３や印刷部４を制御する。【選択図】図２
2016030336.tif 000002
【特許請求の範囲】
【請求項１】
封筒に封入される内容物に特定情報を印刷する印刷部と、
前記封筒に封入された前記内容物の前記特定情報が前記封筒内の所定位置にくるように、少なくとも前記内容物の印刷面を片面又は両面に設定する印刷面情報を含む内容物情報に基づき、前記内容物に印刷される前記特定情報の画像回転有無の判断と、前記内容物をページ番号の昇順又は降順で印刷するかの判断を行い、この判断結果によって決定した内容物印刷条件に従って前記印刷部を制御する制御部と、
を備えたことを特徴とする印刷装置。
【請求項２】
前記内容物印刷条件を決定する際に、片面印刷後の前記内容物を片面搬送経路又は両面搬送経路で搬送するかの判断も含むことを特徴とする請求項１記載の印刷装置。
【請求項３】
前記内容物情報に前記内容物の折り方を設定する折り情報が含まれることを特徴とする請求項１又は２記載の印刷装置。
【発明の詳細な説明】
【技術分野】
【０００１】
本発明は、封筒に封入する内容物となる被印刷媒体（用紙）に所定の画像を印刷する印刷装置に関するものである。
【背景技術】
【０００２】
下記特許文献１には、封筒フォーム及び内容物となる用紙に印刷を施す共通の印刷部が作製すべき封書毎に封筒フォームと内容物を交互に印刷して排出し、封筒フォームを専用の第１の搬送経路で搬送しながら折り曲げて成形し、内容物を専用の第２の搬送経路で搬送しながら折り曲げ、両搬送経路の終端が交差する位置に設けた封入手段において用紙を封筒フォームで包み込みながら折り曲げて封書を作製する封書作製装置について開示されている。
【先行技術文献】
【特許文献】
【０００３】
【特許文献１】特開２０１２−６１８０７号公報
【発明の概要】
【発明が解決しようとする課題】
【０００４】
ところで、納税通知等の公共機関からの各種通知書、クレジットカード等の請求明細書、ダイレクトメール等の種々の書類は、一般的な封筒の正面に所定サイズの切欠きを設け、そこに透明又は半透明のフィルムを貼着した窓部から封筒を開封せずに内容物に印刷された受取人や差出人を特定するための情報（例えば、受取人の宛先情報（郵便番号、氏名、住所又は居所）、受取人や差出人を識別する識別情報（一次元コード（バーコード）や二次元コード（ＱＲコード（登録商標）やＳＰコード）、管理番号等）、差出人の差出人情報（郵便番号、氏名、住所又は居所等）を含み、以下、これらを総じて「特定情報」という）が確認できる「窓付封筒」を利用して郵送されることが多く、特許文献１のような封書作製装置において、窓付封筒を利用した封書を作製したいという要望がユーザから数多く寄せられている。
【０００５】
そして、この要望に応えるべく、本願発明者等は窓付封筒に対応可能な封書作製装置の開発を進めた結果、封筒として窓付封筒を使用する上での課題を知得した。すなわち、窓付封筒に対応するように窓付封筒の窓部の位置に合わせて内容物の所定箇所に特定情報を印刷したとしても、内容物の印刷条件によって封筒に封入したときに特定情報が必ずしも窓部の位置と一致しないという課題である。
【０００６】
つまり、図７（ａ）に示すように、内容物に印刷する画像を通常の印刷向きから印刷面上で１８０°回転させた状態でページを昇順に両面印刷した場合、内容物を内三つ折り、四つ折り、二つ折りにしたときは窓部と特定情報の位置が一致するが、内容物を外三つ折りにしたときは窓部と特定情報の位置が一致せず、作製した封書は窓部から特定情報が視認できない不良品となってしまう。同様に、図７（ｂ）に示すように、内容物に印刷する画像を通常の印刷向きにしてページを降順に両面印刷した場合、内容物を外三つ折りにしたときは窓部と特定情報の位置が一致するが、内容物を内三つ折り、四つ折り、二つ折りにしたときは窓部と特定情報の位置が一致せず、作製した封書は窓部から特定情報が視認できない不良品となってしまう。
【０００７】
また、図７（ｃ）に示すように、例えば窓付き角２封筒に対し折りを施さない内容物を封入するような場合、印刷する画像を通常の印刷向きにしてページを降順に両面印刷したときは窓部と特定情報の位置が一致するが、印刷する画像を１８０°回転して昇順に両面印刷したときは窓部と特定情報の位置が一致せず、作製した封書は窓部から特定情報が視認できない不良品となってしまう。
【０００８】
さらに、特許文献１とは別形態の装置として、既成の窓付封筒（例えば角２窓付封筒）に折りを施さない印刷物（例えばＡ４サイズ）をそのまま封入するような封書作製装置（例えば、特開２０１２−１３１５４３号公報に開示される装置）の場合も、内容物の印刷面や印刷ページ順等の印刷条件によっては窓部と特定情報の位置が一致しないことがあり、作製した封書の窓部から特定情報が視認できない不良品となってしまう。
【０００９】
そこで、本発明は上記問題点に鑑みてなされたものであり、窓付封筒の窓部から内容物に印刷された特定情報が視認可能なように、作製する封書に合わせて内容物の印刷処理を実施することのできる印刷装置を提供することを目的とするものである。
【課題を解決するための手段】
【００１０】
上記した目的を達成するため、請求項１記載の印刷装置は、封筒に封入される内容物に特定情報を印刷する印刷部と、
前記封筒に封入された前記内容物の前記特定情報が前記封筒内の所定位置にくるように、少なくとも前記内容物の印刷面を片面又は両面に設定する印刷面情報を含む内容物情報に基づき、前記内容物に印刷される前記特定情報の画像回転有無の判断と、前記内容物をページ番号の昇順又は降順で印刷するかの判断を行い、この判断結果によって決定した内容物印刷条件に従って前記印刷部を制御する制御部と、
を備えたことを特徴とする。
【００１１】
請求項２記載の印刷装置は、請求項１記載の印刷装置において、前記内容物印刷条件を決定する際に、片面印刷後の前記内容物を片面搬送経路又は両面搬送経路で搬送するかの判断も含むことを特徴とする。
【００１２】
請求項３記載の印刷装置は、請求項１又は２記載の印刷装置において、前記内容物情報に前記内容物の折り方を設定する折り情報が含まれることを特徴とする。
【発明の効果】
【００１３】
請求項１に記載の印刷装置によれば、内容物を作製する内容物情報に含まれる印刷面情報を基に内容物印刷条件を適宜選択して内容物を封筒に封入したときに内容物に印刷された特定情報が封筒内の所定位置にくるように印刷部を制御するため、封書を作製したときに内容物に印刷された特定情報の位置と封筒の窓部の位置とを常に一致させることができる。
【００１４】
また、請求項２記載の印刷装置によれば、内容物印刷条件を決定するにあたり、片面印刷後の内容物を片面搬送経路又は両面搬送経路の何れかで搬送する判断を行うことで、封筒の窓部の位置と内容物に印刷される特定情報の位置に応じて適宜片面印刷された内容物の表裏を反転するため、封書を作製したときに内容物に印刷された特定情報の位置と封筒の窓部の位置とを常に一致させることができる。
【００１５】
また、請求項３に記載の印刷装置によれば、内容物情報に内容物の折り情報が含まれることで、折り方が複数パターン存在する封書作製装置で封書を作製した場合であっても、封入された内容物の特定情報（例えば宛て名）の位置と封筒の窓部の位置とを一致させることができる。
【図面の簡単な説明】
【００１６】
【図１】本発明に係る印刷装置が搭載される封書作製装置の構成例を示す概略構成図である。
【図２】本装置の機能ブロック図である。
【図３】内容物情報に応じた内容物印刷条件の設定内容を示すテーブルである。
【図４】（ａ）〜（ｄ）は選択された内容物印刷条件に応じて印刷された用紙の状態を示す図である。
【図５】（ａ）は内容物情報が両面印刷、内三つ折りのときに選択された内容物印刷条件による折り工程の流れを示す図であり、（ｂ）は内容物情報が両面印刷、四つ折りのときに選択された内容物印刷条件による折り工程の流れを示す図である
【図６】（ａ）は内容物情報が両面印刷、二つ折りのときに選択された内容物印刷条件による折り工程の流れを示す図であり、（ｂ）は内容物情報が両面印刷、外三つ折りのときに選択された内容物印刷条件による折り工程の流れを示す図である。
【図７】（ａ）、（ｂ）は従来装置において折りパターンと内容物の印刷条件に応じて内容物の特定情報と封筒の窓部との位置関係の違いを示す概念図であり、（ｃ）は従来装置において折りを施さない内容物の印刷条件に応じて内容物の特定情報と封筒の窓部との位置関係の違いを示す概念図である。
【発明を実施するための形態】
【００１７】
以下、本発明を実施するための形態について、添付した図面を参照しながら詳細に説明する。また、この実施の形態によって本発明が限定されるものではなく、この形態に基づいて当業者等により考え得る実施可能な他の形態、実施例及び運用技術等は全て本発明の範疇に含まれるものとする。
【００１８】
［封書作製装置について］
まず、本発明に係る印刷装置１が搭載される封書作製装置１００について説明する。
図１に示すように、封書作製装置１００は、封書に封入される内容物となる用紙Ｐや用紙Ｐを封入する封筒フォームＰＥに対して所定の印刷処理を施す印刷ユニット（印刷装置）１１０と、印刷ユニット１１０で所定の印刷処理が施された用紙Ｐや封筒フォームＰＥに必要な折りを施した後に封筒フォームＰＥで用紙Ｐを包み込むように封入し封緘して封書を作製する封入封緘ユニット１２０（封入封緘装置）とで構成されている。
【００１９】
＜印刷ユニットについて＞
印刷ユニット１１０は、封筒フォームＰＥや内容物となる用紙Ｐなどの被印刷媒体に所定の印刷処理を施して後段の封入封緘ユニット１２０に排出する装置である。
詳述すると、筐体内部の給紙トレイ１１１ａや筐体側面の給紙台１１１ｂに積層された複数種類の用紙（用紙Ｐとなる枚葉状の用紙Ｐ１〜Ｐ３や封筒フォームＰＥ）を所定のタイミングで各用紙を給紙する給紙部１１１と、導入路１１２から搬送された用紙を水平搬送する第１搬送経路１１３ａとこの第１搬送経路１１３ａを介して両面印刷時等に用紙Ｐが搬送される閉ループ状の第２搬送経路１１３ｂからなる搬送経路１１３と、搬送経路１１３で搬送された用紙Ｐに対して印刷処理を行う印刷手段１１４と、用紙Ｐを封入封緘ユニット１２０に排出する第１排出路１１５と、第２搬送経路１１３ｂを搬送された用紙Ｐを筐体外に排出する第２排出路１１６と、第２搬送経路１１３ｂを搬送された用紙Ｐを受け入れた後に逆行させて再度第２搬送経路１１３ｂに戻して用紙Ｐの表裏を反転させるスイッチバック路１１７とを備えている。
【００２０】
なお、この印刷ユニット１１０は本発明に係る印刷装置１に相当するが、従来の封書作製装置１００で生じる窓付封筒による封書作製処理の課題を解決するための構成及び処理内容については後段で詳述する。
【００２１】
＜封入封緘ユニットについて＞
封入封緘ユニット１２０は、封筒フォームＰＥ及び用紙Ｐに対して必要な折りを施して封筒フォームＰＥで用紙Ｐを包み込むように封入封緘処理をして封書を作製する装置である。なお、本形態例では封筒フォームＰＥを三つ折りにして用紙Ｐを包み込むように収容する装置であるが、封筒フォームＰＥの折り回数や折り方に関しては作製する完成物の形状や用途に応じて種々の形態があるため特に限定はされない。
【００２２】
詳述すると、用紙Ｐを搬送しながら必要に応じて所定の折りを施す複数の折りローラからなる用紙折り部１２１と、搬送に伴って封筒フォームＰＥの一部を折り畳みながら用紙Ｐを包み込むように収容する収容部１２２と、収容部１２２で用紙Ｐが収容された状態の封筒フォームＰＥに折りを施してフラップを形成し封筒フォームＰＥを封筒形状にするフラップ折り部１２３と、フラップの折り位置を位置決めするための待機経路として機能し封筒フォームＰＥに予め転写された再湿糊部分に水を塗布する水塗布処理部１２４と、搬送に伴ってフラップ部分を折り込んで水塗布後の封筒を封緘する封緘部１２５と、封緘処理された封書を装置筐体外部まで上昇搬送させた後、排出トレイ１２６ａまで水平に排出搬送する排出部１２６と、を備えている。
【００２３】
また、封書作製装置１００は、例えば封書作製に必要な条件が設定された封書作製ジョブ等の封書作製装置１００を構成する各部を駆動するのに必要な情報を記憶する統括制御部１２７と、封書作製装置１００を構成する各部の駆動制御を行う統括制御部１２８と、を備えている。
【００２４】
なお、封書作製ジョブには、例えば封書の作製通数、使用する封筒フォームＰＥにより作製される封筒に関する情報である封筒情報（例えば印刷枚数、フォームサイズ、封筒フォームＰＥが封筒形状となったときの封筒サイズ、窓部の有無、印刷条件（片面印刷／両面印刷）、印刷する印刷画像データ、折り方等を示す情報）と、用紙Ｐとなる用紙に関する情報である内容物情報（例えば印刷部数、内容物枚数情報、出力サイズ、片面印刷／両面印刷設定、印刷する印刷画像のデータ、折り方、特定情報の印刷位置等を示す情報）等、封書を作製するのに必要な情報が含まれている。
【００２５】
また、封書作製装置１００が封書作製ジョブの入手方法としては、ユーザが使用するＰＣ等の外部端末装置から入手する方法、予め設定した封書作製ジョブを記憶させたＵＳＢメモリ等の補助記憶装置を介して入手する方法、装置本体に各種入力キーやタッチパネル等で構成される設定入力手段を具備させ封書作製ジョブを設定する方法、予め設定した封書作製ジョブを記憶する外部サーバから通信ネットワークを介して入手する方法等がある。
【００２６】
そして、本発明に係る印刷装置１は、上述した印刷ユニット１１０に相当し、後述する特定情報が印刷された用紙Ｐが内容物として封筒フォームＰＥからなる封筒に封入封緘されたとき、封筒に設けられた窓部から特定情報が視認可能となるように、作製する封書作製ジョブに含まれる内容物情報に基づいて用紙Ｐに所定の印刷処理を施す装置である。
【００２７】
［印刷装置について］
＜装置構成について＞
次に、本発明に係る印刷装置１について説明する。図１又は図２に示すように、本例の印刷装置１は、給紙部２と、搬送経路３と、印刷部４と、排紙部５と、記憶部６と、制御部７とを備えて構成されている。
【００２８】
なお、以下の説明では、封書作製装置１００で使用する封筒フォームＰＥとして、封筒の表面となる面に所定サイズの切欠きを穿設し、そこに透明又は半透明のフィルムを貼着した所定形状の窓部が形成されているものを使用する。
【００２９】
また、内容物となる用紙Ｐには、紙面に印刷される画像情報として、受取人に通知するための情報である内容情報（受取人に通知する通知内容を示す文字や画像）と、窓部から封筒を開封せずに内容物に印刷された受取人や差出人を特定するための情報（例えば、受取人の宛先情報（郵便番号、氏名、住所又は居所）、受取人や差出人を識別する識別情報（一次元コード（バーコード）や二次元コード（ＱＲコード（登録商標）やＳＰコード）、管理番号等）、差出人の差出人情報（郵便番号、氏名、住所又は居所等）を含み、以下、これらを総じて「特定情報」という）が印刷され、特定情報の印刷位置や印刷領域の大きさは、正常に封入されれば使用する封筒フォームＰＥの窓部の位置と一致するように予め設定されているものとする。
【００３０】
給紙部２は、印刷ユニット１１０の給紙部１１１に相当し、装置筐体の内部に設けられた給紙トレイ１１１ａや筐体側面に設けられた給紙台１１１ｂに積層された複数種類の用紙（用紙Ｐとなる枚葉状の用紙Ｐ１〜Ｐ３や封筒フォームＰＥ）を封書作製ジョブに応じた所定のタイミングで印刷部４に給紙する。
【００３１】
搬送部３は、給紙部２から給紙された内容物となる用紙Ｐに画像形成を行うための水平搬送経路３ａ（印刷ユニット１１０における第１搬送経路１１３ａに相当）と、表面に画像形成された用紙Ｐを反転させて再び水平搬送経路３ａに戻すための閉ループ状の循環経路３ｂ（印刷ユニット１１０における第２搬送経路１１３ｂに相当）を有している。
【００３２】
また、循環経路３ｂの下流側には、印刷部４で表面に画像形成された用紙Ｐを、表面を下に向けた（フェイスダウン）状態で排紙部５に排紙する排紙経路３ｃ（印刷ユニット１１０の第２排出路１１６に相当）が設けられ、排紙経路３ｃの分岐点のやや下流側には、用紙Ｐの表裏を反転させるために循環経路３ｂから導いた用紙Ｐを往復させて再度循環経路３ｂに戻す行き止まり構造を成すスイッチバック路３ｄ（印刷ユニット１１０のスイッチバック路１１７に相当）が設けられている。
【００３３】
つまり、給紙部２から搬送された用紙Ｐを、水平搬送経路３ａを介して印刷部４まで搬送し、印刷部４で用紙Ｐの表面に画像を形成して後段の封入封緘ユニット１２０へそのまま排出すれば、所謂「片面印刷」となり、片面印刷された用紙Ｐが画像形成面を上にした状態で封入封緘ユニット１２０に排紙される。また、この片面印刷した用紙Ｐを排紙せずに循環経路３ｂを通じて同用紙Ｐをスイッチバック路３ｄに導き、スイッチバック路３ｄで用紙Ｐの表裏を反転させ再度循環経路３ｂに戻し、再び循環経路３ｂに沿って搬送しながら印刷部４で用紙Ｐの裏面に画像を形成すれば、所謂「両面印刷」となり、両面印刷された用紙Ｐの裏面側を上にした状態で封入封緘ユニット１２０に排紙される。さらに、搬送部３は、用紙Ｐが片面印刷のときに、制御部７からの搬送経路指示に基づき、用紙Ｐを後述する片面搬送経路又は両面搬送経路の何れかで片面印刷後の用紙Ｐを搬送する。
【００３４】
また、給紙部２から用紙Ｐを水平搬送経路３ａに送り込んで搬送し、印刷部４で用紙Ｐの表面に画像を形成して排紙部５へ排出すると、用紙Ｐはフェイスダウンの状態で排紙される。
【００３５】
印刷部４は、印刷ユニット１１０の印刷手段１１４に相当し、用紙Ｐに画像を形成するための手段として、Ｃ（シアン）、Ｍ（マゼンタ）、Ｙ（イエロー）、ブラック（Ｋ）の各色のインクをそれぞれ吐出する４つのインクジェットヘッドＣ、Ｍ、Ｙ、Ｋが水平搬送経路３ａの上方に並設されている。印刷部４は、水平搬送経路３ａに沿って搬送される用紙Ｐの上面にインクを吐出し、所望の画像を形成する。印刷部４による印刷処理として、片面印刷時は印刷画像を搬送方向先端側から印刷し、両面印刷時の裏面側の印刷は長辺綴じ又は短辺綴じの指示に応じて適切な向きに画像を回転して印刷される。
【００３６】
また、印刷部４は、制御部７からの画像回転指示を受けると、その指示に合わせて画像を回転した状態で印刷処理を行う。さらに、印刷部４は、制御部７からの印刷ページ順指示に基づき、用紙Ｐに印刷する画像を降順又は昇順となるように印刷処理を行う。
【００３７】
なお、印刷手段１１は、作製する封書の作製内容に応じて用紙Ｐや封筒フォームＰＥ等に所望の画像形成が可能であればよいため、インクジェット方式の他に、例えば孔版印刷方式や電子写真方式等の各種印刷方式を採用してもよい。
【００３８】
排紙部５は、排紙経路３ｃを通じて筐体外に排出される用紙Ｐを受け入れる。排紙部５に排紙された用紙Ｐは、フェイスダウンの状態で順次積載される。
【００３９】
記憶部６は、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成され、印刷装置１を構成する各部の駆動に必要な駆動制御プログラムを記憶している。
【００４０】
また、記憶部６は、封書作製ジョブに含まれる内容物情報（折り情報、印刷面情報）に基づき用紙Ｐの印刷条件が設定された内容物印刷条件を記憶している。
【００４１】
内容物印刷条件は、図３に示すように、内容物情報に含まれる折り方（内三つ折り、四つ折り、外三つ折り、二つ折り）を設定した折り情報と、印刷方法（片面印刷又は両面印刷）を設定した印刷面情報とに基づき、用紙Ｐを内容物として封筒に封入したときに用紙Ｐに印刷された特定情報が封筒の所定位置（窓部の位置）と一致するように各種条件（印刷後の搬送経路（片面搬送経路又は両面搬送経路）、印刷ページの順序（昇順又は降順）、画像回転の有無）が設定された情報である。なお、特定情報は、内容物情報によって設定された内容物印刷条件に沿って印刷処理された用紙Ｐに所定の折りを施し、この折り済用紙を封筒フォームＰＥに収容したときに、窓部の位置と一致する位置に印刷されるものとする。
【００４２】
ここで、内容物印刷条件における「印刷後の搬送経路」とは、片面印刷後の用紙Ｐを封入封緘ユニット１２０に搬送する際に通過させる搬送経路を選択した情報である。すなわち、「片面搬送経路」とは、片面印刷後の用紙Ｐを、水平搬送経路３ａを通過させて封入封緘ユニット１２０まで搬送する経路であり、用紙Ｐは片面印刷後の状態のまま封入封緘ユニット１２０まで搬送される。また、「両面搬送経路」とは、片面印刷後の用紙Ｐを、循環経路３ｂ及びスイッチバック路３ｄを通過させて封入封緘ユニット１２０に搬送する経路であり、用紙Ｐは片面印刷後の状態から表裏が反転した状態で封入封緘ユニット１２０まで搬送される。なお、用紙Ｐが両面印刷のときは、印刷後の搬送経路は選択されず、両面印刷後の状態のまま封入封緘ユニット１２０に搬送される。
【００４３】
内容物印刷条件における「画像回転の有無」とは、用紙Ｐに印刷する印刷画像の向きを印刷面上で１８０°回転するか否かを選択した情報である。すなわち、「画像回転有り」が選択されると、通常の画像向きから印刷画像を印刷面上で１８０°回転させた状態で印刷処理が実施され、「画像回転無し」が選択されると、画像回転せずに通常の画像向きの状態で印刷処理が実施される。
【００４４】
内容物印刷条件における「印刷ページの順序」とは、用紙Ｐの印刷順序が昇順（用紙Ｐを印刷した順に積載したときに印刷ページの小さい方から順に大きくする印刷順序）又は降順（用紙Ｐを印刷した順に積載したときに印刷ページの大きい方から順に小さくする印刷順序）を選択した情報である。すなわち、「昇順」が選択されると、印刷後の用紙Ｐが排紙されたときに下から順にページが大きくなるように印刷され、「降順」が選択されると、印刷後の用紙Ｐが排紙されたときに下から順にページが小さくなるように印刷される。
【００４５】
なお、図３に示す内容物印刷条件は、封入封緘ユニット１２０における折り工程終了時に特定情報の印刷面が表面側にくるようにするための条件の一例である。従って、封入封緘ユニット１２０の仕様により折り工程後に特定情報の印刷面が裏面にくるような構成であった場合は、その仕様に合わせて図３に示した内容物印刷条件の内容も適宜変更される。
【００４６】
制御部７は、例えばＣＰＵ（Central Processing Unit ）やＲＯＭ（Read Only Memory），ＲＡＭ（Random Access Memory）又はこれらの機能を具備するＭＰＵ（Micro-Processing Unit ）等のプロセッサで構成され、記憶部６に記憶される駆動制御プログラムに従って印刷装置１を構成する各部の駆動制御を行っている。
【００４７】
また、制御部７は、封書作製ジョブに含まれる内容物情報に基づき、封筒に封入したときに用紙Ｐに印刷される特定情報が封筒の窓部の位置と一致するように用紙Ｐの印刷条件を決定する印刷条件選択処理手段７ａを備えている。
【００４８】
印刷条件選択処理手段７ａは、封書作製ジョブに含まれる内容物情報の折り情報や印刷面情報と、記憶部６に記憶される内容物印刷条件とを照合して適合する印刷条件を選択し、この選択された印刷条件に応じた制御指示（搬送経路指示、画像回転指示、印刷ページ順指示）を搬送部３や印刷部４に出力する。
【００４９】
＜内容物印刷条件による印刷処理の違いについて＞
（条件例１）
図３に示すように、内容物情報として用紙Ｐの印刷面情報を「片面印刷」、折り情報を「内三つ折り、四つ折り、二つ折りの何れか」と設定した場合、印刷条件選択処理手段７ａでは内容物印刷条件として印刷後の搬送経路が「片面搬送経路」、画像回転が「有り」、印刷ページの順序が「降順」と選択され、この選択された条件に応じた制御指示によって搬送部３や印刷部４が駆動制御される。そして、上記内容物印刷条件に応じて印刷処理された用紙Ｐは、封入封緘ユニット１２０の用紙折り部１２１に搬送されたときに図４（ａ）に示す状態となる。
【００５０】
（条件例２）
図３に示すように、内容物情報として用紙Ｐの印刷面情報を「片面印刷」、折り情報を「外三つ折り」と設定した場合、印刷条件選択処理手段７ａでは内容物印刷条件として印刷後の搬送経路が「両面搬送経路」、画像回転が「有り」、印刷ページの順序が「昇順」と選択され、この選択された条件に応じた制御指示によって搬送部３や印刷部４が駆動制御される。そして、上記内容物印刷条件に応じて印刷処理された用紙Ｐは、封入封緘ユニット１２０の用紙折り部１２１に搬送されたときに図４（ｂ）に示す状態となる。
【００５１】
（条件例３）
図３に示すように、内容物情報として用紙Ｐの印刷面情報を「両面印刷」、折り情報を「内三つ折り、四つ折り、二つ折りの何れか」と設定した場合、印刷条件選択処理手段７ａでは内容物印刷条件として画像回転が「有り」、印刷ページの順序が「昇順」と選択され、この選択された条件に応じた制御指示によって搬送部３や印刷部４が駆動制御される。そして、上記内容物印刷条件に応じて印刷処理された用紙Ｐは、封入封緘ユニット１２０の用紙折り部１２１に搬送されたときに図４（ｃ）に示す状態となる。
【００５２】
（条件例４）
図３に示すように、内容物情報として用紙Ｐの印刷面情報を「両面印刷」、折り情報を「外三つ折り」と設定した場合、印刷条件選択処理手段７ａでは内容物印刷条件として画像回転が「無し」、印刷ページの順序が「降順」と選択され、この選択された条件に応じた制御指示によって搬送部３や印刷部４が駆動制御される。そして、上記内容物印刷条件に応じて印刷処理された用紙Ｐは、封入封緘ユニット１２０の用紙折り部１２１に搬送されたときに図４（ｄ）に示す状態となる。
【００５３】
＜処理動作について＞
次に、上述した印刷装置１を封書作製装置１００に搭載して運用した際に封書作製ジョブの内容物情報から選択される内容物印刷条件による一連の処理動作について、図３〜図６を参照しながら説明する。
ここでは、内容物情報として両面印刷処理を前提とし、折りパターン（内三つ折り、四つ折り、二つ折り、外三つ折りの４パターン）に応じて選択された内容物印刷条件による処理動作例である。また、封入封緘ユニット１２０の仕様として、折り工程後に用紙Ｐの特定情報が上面にくる構成とする。
【００５４】
まず、ユーザによって設定された封書作製ジョブが開始されると、制御部７はこのジョブ内容から内容物情報を確認する。次に、内容物情報と記憶部６に記憶される内容物印刷条件とを照合して、内容物情報に合った内容物印刷条件を選択して搬送部３や印刷部４の駆動制御を行う。  
【００５５】
つまり、内容物情報として用紙Ｐの印刷面情報が「両面印刷」、折り情報が「内三つ折り」と設定されているときは、図３に示す内容物印刷条件に基づいて画像回転を「有り」、印刷ページの順序を「昇順」と選択する。そして、選択された内容物印刷条件に従って搬送部３や印刷部４が駆動制御されると、用紙Ｐは図４（ａ）に示す状態で用紙折り部１２１に到達する。そして、図５（ａ）に示すように、この状態から内三つ折りを施すと、折り工程終了後に特定情報が上面となり、封筒フォームＰＥに収容する際に特定情報の位置と窓部の位置とが一致する。
【００５６】
また、内容物情報として用紙Ｐの印刷面情報が「両面印刷」、折り情報が「四つ折り」と設定されているときは、図３に示す内容物印刷条件に基づいて画像回転を「有り」、印刷ページの順序を「昇順」と選択する。そして、選択された内容物印刷条件に従って搬送部３や印刷部４が駆動制御されると、用紙Ｐは図４（ｂ）に示す状態で用紙折り部１２１に到達する。そして、図５（ａ）に示すように、この状態から四つ折りを施すと、折り工程終了後に特定情報が上面となり、封筒フォームＰＥに収容する際に特定情報の位置と窓部の位置とが一致する。
【００５７】
さらに、内容物情報として用紙Ｐの印刷面情報が「両面印刷」、折り情報が「二つ折り」と設定されているときは、図３に示す内容物印刷条件に基づいて画像回転を「有り」、印刷ページの順序を「昇順」と選択する。そして、選択された内容物印刷条件に従って搬送部３や印刷部４が駆動制御されると、用紙Ｐは図４（ｃ）に示す状態で用紙折り部１２１に到達する。そして、図６（ａ）に示すように、この状態から二つ折りを施すと、折り工程終了後に特定情報が上面となり、封筒フォームＰＥに収容する際に特定情報の位置と窓部の位置とが一致する。
【００５８】
なお、図６（ａ）に示すように、二つ折りの場合は、折りローラにより１回の折りのみ施されるように経路切替部材１２１ａが移動して搬送経路が切り替わるように制御される。
【００５９】
また、内容物情報として用紙Ｐの印刷面情報が「両面印刷」、折り情報が「外三つ折り」と設定されているときは、図３に示す内容物印刷条件に基づいて画像回転を「無し」、印刷ページの順序を「降順」と選択する。そして、選択された内容物印刷条件に従って搬送部３や印刷部４が駆動制御されると、用紙Ｐは図４（ｄ）に示す状態で用紙折り部１２１に到達する。そして、図６（ｂ）に示すように、この状態から外三つ折りを施すと、折り工程終了後に特定情報が上面となり、封筒フォームＰＥに収容する際に特定情報の位置と窓部の位置とが一致する。
【００６０】
以上説明したように、上述した印刷装置１は、封書作製ジョブの内容物情報に含まれる折り情報や印刷面情報を、記憶部６に記憶される内容物印刷条件と照合して適切な条件を選択し、選択した内容物印刷条件に基づいて印刷部４を制御して用紙Ｐの印刷処理を行うことで、内容物となる用紙Ｐの折り方が複数パターン存在する封書作製装置１００においても、封書として完成したときに用紙Ｐに印刷された特定情報が封筒内の所定位置にくるように用紙Ｐに印刷処理を施すことができる。つまり、上述した実施形態で作製した封書は、常に用紙Ｐに印刷された特定情報が、封筒の所定位置にあたる封筒の窓部と一致し、窓部から特定情報が視認可能な封書を作製することができる。
【００６１】
また、ユーザが設定した封書作製情報に含まれる内容物情報から本装置が自動的に最適な印刷条件を選択して用紙Ｐに印刷処理を施すため、作製する封書毎に印刷条件を設定する手間が省け、簡便に所望の封書を作製することができる。
【００６２】
［その他の実施形態について］
なお、本発明は上記各実施形態に限定されるものではなく、例えば以下に示すように使用環境等に応じて適宜変更して実施することもできる。また、以下の変更例を本発明の要旨を逸脱しない範囲の中で任意に組み合わせて実施することもできる。
【００６３】
上述した形態では、本例の印刷装置１が接続される封書作製装置１００として、用紙Ｐに所定の折りを施したものを内容物として封筒フォームＰＥで包み込むようにして封書を作製する装置構成例で説明したが、これに限定されることはなく、内容物となる用紙Ｐに折りを施さず、既成の封筒に封入する封入封緘装置（例えば、特開２０１２−１３１５４３号公報に開示される装置）でも上述した形態と同様の効果を奏することができる。
【００６４】
そして、このような封入封緘装置に本例の印刷装置１を適用した場合、内容物印刷条件を選択する際に内容物情報として少なくとも印刷面情報が必要となり、内容物となる用紙Ｐが片面印刷か両面印刷かによって、封筒の窓部の位置と対応するように印刷後の搬送経路（片面搬送経路／両面搬送経路）、画像回転の有無（回転有り／回転無し）、印刷ページの順序（昇順／降順）を適宜印刷条件選択処理手段７ａで選択すればよい。
なお、この形態では内容物に折りを施さないため、内容物情報として折り情報は不要となる。また、用紙Ｐが両面印刷の場合は、上述した形態と同様に印刷後の搬送経路は選択されず、両面印刷後の状態のまま封入封緘ユニット１２０に搬送される。
【００６５】
また、用紙Ｐに印刷された特定情報を視認するための窓部が形成された封筒を使用する例で説明したが、これに限定されず、内容物に印刷された挨拶文面の情報や内容物束の表面に印刷された情報を特定情報として捉え、内容物を封筒に封入したときに特定情報が封筒内の所定位置（例えば封筒における宛て名が記載された面と対向する位置）にくるように内容物印刷条件を選択する構成としてもよい。このような構成とすれば、封書を開封したときに内容物の束の表面や挨拶文面が上面となり、受取人が確実に特定情報を確認することができる。
【００６６】
さらに、上述した実施例では、印刷装置１に記憶部６及び制御部７を具備する構成で説明したが、本装置が搭載される封書作製装置１００の統括制御部１２７及び統括制御部１２８が、その機能を賄ってもよい。
【符号の説明】
【００６７】
１…印刷装置
２…給紙部
３…搬送部（３ａ…水平搬送経路、３ｂ…循環経路、３ｃ…排紙経路、３ｄ…スイッチバック路）
４…印刷部
５…排紙部
６…記憶部
７…制御部（７ａ…印刷条件選択処理手段）
１００…封書作製装置
１１０…印刷ユニット（印刷装置）
１２０…封入封緘ユニット（封入封緘装置）
Ｐ…用紙
ＰＥ…封筒フォーム
【図１】
2016030336.tif 000003
【図２】
2016030336.tif 000004
【図３】
2016030336.tif 000005
【図４】
2016030336.tif 000006
【図５】
2016030336.tif 000007
【図６】
2016030336.tif 000008
【図７】
2016030336.tif 000009